(57)【要約】      （修正有）【課題】薄型のＦＰＣ用電気コネクタを提供する。【解決手段】ＦＰＣ用電気コネクタは、プリント基板５に取付けられる取付面を有し、収容空間を有する絶縁ハウジング１と、前記絶縁ハウジング内に収容され、前記ＦＰＣ６に接続できるコンタクト部を有する導電端子２と、前記収容空間に収容され、前記ＦＰＣを押圧する押圧面と該押圧面に相対した底表面とを有するスライド部材４と、を含み、前記絶縁ハウジングの収容空間が該ＦＰＣ用電気コネクタの取付面と連通し、前記スライド部材が前記絶縁ハウジングに挿入される際に、その底表面が該ＦＰＣ用電気コネクタの取付面に位置する。ＦＰＣ用電気コネクタの高さが減少し、該ＦＰＣ用電気コネクタの厚さが薄くなり、且つＦＰＣ用電気コネクタの構造が簡単になり、電子産品の小型化の要求を満足する。【選択図】図５
0003113116.tif 000002
【実用新案登録請求の範囲】
【請求項１】
ＦＰＣを接続するために用いられ、プリント基板に取付けられる取付面を有するＦＰＣ用電気コネクタにおいて、
収容空間を有する絶縁ハウジングと、
前記絶縁ハウジング内に収容され、前記ＦＰＣに接続できるコンタクト部を有する導電端子と、
前記収容空間に収容され、前記ＦＰＣを押圧する押圧面と該押圧面に相対した底表面とを有するスライド部材と、を含むＦＰＣ用電気コネクタにおいて、
前記絶縁ハウジングの収容空間が該ＦＰＣ用電気コネクタの取付面と連通し、前記スライド部材が前記絶縁ハウジングに挿入される際に、その底表面が該ＦＰＣ用電気コネクタの取付面に位置することを特徴とするＦＰＣ用電気コネクタ。
【請求項２】
前記絶縁ハウジングの両側には、支持部材がそれぞれ装着され、該支持部材が支持部を有し、前記導電端子が半田付け部を有し、この支持部と半田付け部とが前記ＦＰＣ用電気コネクタの取付面を位置決めすること特徴とする請求項１に記載のＦＰＣ用電気コネクタ。
【請求項３】
前記絶縁ハウジングとスライド部材との間に、ブロック部材が形成され、該ブロック部材により、絶縁ハウジングとスライド部材の間の相対する運動が制限されること特徴とする請求項１に記載のＦＰＣ用電気コネクタ。
【請求項４】
前記ブロック部材は、第１位置及び第２位置をそれぞれ規定でき、前記絶縁ハウジングは前記収容空間を向く第１斜面を有し、前記スライド部材も前記収容空間を向く第２斜面を有し、前記絶縁ハウジングとスライド部材とが前記第１位置に位置する際に、前記第１斜面と第２斜面との間にＦＰＣが挿入されるガイド溝が形成されることを特徴とする請求項３に記載のＦＰＣ用電気コネクタ。
【請求項５】
前記絶縁ハウジングは、主体部と、該主体部から延伸される舌片及び一対の係合部材とを有し、且つ前記一対の係合部材が前記舌片の両側にそれぞれ位置し、前記スライド部材は、対接板と該対接板の両側に位置する一対の係止柱とを有し、前記ブロック部材は、前記係止柱に形成される延伸溝と、舌片に設置される案内体と、前記案内体を収容するガイド溝と、前記延伸溝内に収容される第１凸塊及び第２凸塊とを含むことを特徴とする請求項３或は４に記載のＦＰＣ用電気コネクタ。
【請求項６】
ＦＰＣを接続するために用いられ、絶縁ハウジングと、該絶縁ハウジング内に収容され、前記ＦＰＣに接続できるコンタクト部を有する導電端子と、前記絶縁ハウジング内に収容されるスライド部材とを有する電気コネクタと、
前記電気コネクタが実装されるプリント基板と、を含む電気コネクタ組合せにおいて、
前記絶縁ハウジングとプリント基板とが、前記ＦＰＣとスライド部材とを収容する収容空間を構成し、前記スライド部材は、前記ＦＰＣを押圧する押圧面と、前記プリント基板に接触する底表面とを有し、前記押圧面により、前記ＦＰＣを導電端子に電気的に接続させることを特徴とする電気コネクタ組合せ。
【請求項７】
前記絶縁ハウジングの両側には、支持部材がそれぞれ装着され、該支持部材が支持部を有し、前記導電端子が半田付け部を有し、この支持部と半田付け部とが前記ＦＰＣ用電気コネクタの取付面を位置決めすること特徴とする請求項６に記載の電気コネクタ組合せ。
【請求項８】
前記絶縁ハウジングとスライド部材との間に、ブロック部材が形成され、該ブロック部材により、絶縁ハウジングとスライド部材の間の相対する運動が制限されること特徴とする請求項６に記載の電気コネクタ組合せ。
【請求項９】
前記ブロック部材は、第１位置及び第２位置をそれぞれ規定でき、前記絶縁ハウジングは前記収容空間を向く第１斜面を有し、前記スライド部材も前記収容空間を向く第２斜面を有し、前記絶縁ハウジングとスライド部材とが前記第１位置に位置する際に、前記第１斜面と第２斜面との間にＦＰＣが挿入されるガイド溝が形成されることを特徴とする請求項８に記載の電気コネクタ組合せ。
【請求項１０】
前記絶縁ハウジングは、主体部と、該主体部から延伸される舌片及び一対の係合部材とを有し、且つ前記一対の係合部材が前記舌片の両側にそれぞれ位置し、前記スライド部材は、対接板と該対接板の両側に位置する一対の係止柱とを有し、前記ブロック部材は、前記係止柱に形成される延伸溝と、舌片に設置される案内体と、前記案内体を収容するガイド溝と、前記延伸溝内に収容される第１凸塊及び第２凸塊とを含むことを特徴とする請求項８或は９に記載の電気コネクタ組合せ。
【考案の詳細な説明】
【技術分野】
【０００１】
本考案は、ＦＰＣ、ＦＦＣ等と一般に呼ばれている平型柔軟ケーブル（この明細書では、これらを総称して単に「ＦＰＣ」という）をプリント基板に接続するために用いられるＦＰＣ用電気コネクタに関するものである。
【背景技術】
【０００２】
従来、このようなＦＰＣ用電気コネクタは、基本的に、プリント基板に実装される絶縁ハウジングと、この絶縁ハウジングの端子溝内に並設され、前記プリント基板に半田付けされる複数のコンタクト片とを備えた構成とされる。前記絶縁ハウジングには、ＦＰＣの端部を収容するために用いられ、前記端子溝に連通している収容空間が形成される。このＦＰＣ用電気コネクタは、前記収容空間内に挿入され、前記ＦＰＣをプリント基板に固定させるのに用いられるスライド部材を有し、これにより、前記ＦＰＣの端部が前記コンタクト片と接続している。
【０００３】
従来技術のＦＰＣ用電気コネクタの一例として、特許文献１に開示されたＦＰＣ用電気コネクタが知られている。このＦＰＣ用電気コネクタは、収容空間が形成される絶縁ハウジングと、該絶縁ハウジング内に収容されるコンタクト片及びスライド部材とを含み、前記絶縁ハウジングは前記収容空間に連通している開口を有し、前記コンタクト片は、半田付け部と、前記収容空間内に向けて延伸され、コンタクト部を有する弾性アームとを有する。プリント基板にこのＦＰＣ用電気コネクタを実装する場合、先に、前記ＦＰＣが、ゼロ挿入力（ＺＩＦ）で前記収容空間内に装着され、且つ前記コンタクト片のコンタクト部の下方に位置し、それから、スライド部材が絶縁ハウジングと前記コンタクト部との間の収容空間内に挿入され、これにより、前記弾性アームに弾性的な変形が生じさせられ、更に、コンタクト部とＦＰＣとの間の接続が安定的に達成される。
【特許文献１】米国特許第５８１６８４５号明細書
【考案の開示】
【考案が解決しようとする課題】
【０００４】
しかしながら、前記絶縁ハウジングは、ＦＰＣとスライド部材を収容できる収容空間が配置されるために、一定の厚さを有していることが必要になり、近年、周知の通り、電子部品や電子機器の小型化が強く求められていることで、薄型のＦＰＣ用電気コネクタを開発することが必要である。
【０００５】
本考案は、上述した事情に鑑みてなされたものであり、薄型のＦＰＣ用電気コネクタを提供することを目的とする。
【課題を解決するための手段】
【０００６】
前記の目的を達成するために、本考案のＦＰＣを接続するために用いられるＦＰＣ用電気コネクタは、プリント基板に取付けられる取付面を有し、収容空間を有する絶縁ハウジングと、前記絶縁ハウジング内に収容され、前記ＦＰＣに接続できるコンタクト部を有する導電端子と、前記収容空間に収容され、前記ＦＰＣを押圧する押圧面と該押圧面に相対した底表面とを有するスライド部材と、を含み、前記絶縁ハウジングの収容空間が該ＦＰＣ用電気コネクタの取付面と連通し、前記スライド部材が前記絶縁ハウジングに挿入される際に、その底表面が該ＦＰＣ用電気コネクタの取付面に位置する。
【考案の効果】
【０００７】
従来の技術に比較して、本考案は以下の効果を有する。ＦＰＣとスライド部材とを収容する収容空間は絶縁ハウジングとプリント基板とからなり、前記ＦＰＣを挿入する際に、前記スライド部材の底表面はプリント基板に直に接触し、こうして、ＦＰＣ用電気コネクタの高さが減少する、即ち、該ＦＰＣ用電気コネクタの厚さが薄くなり、且つＦＰＣ用電気コネクタの構造が簡単になり、電子産品の小型化の要求を満足する。
【考案を実施するための最良の形態】
【０００８】
図１及び図２に基づいて、本考案のＦＰＣ用電気コネクタ１００について説明する。本考案のＦＰＣ用電気コネクタ１００は、絶縁ハウジング１と、該絶縁ハウジング１に横並びに並設された複数の導電端子２と、支持部材３と、スライド部材４とを含んでいる。
【０００９】
前記絶縁ハウジング１は、上表面１１０を有する主体部１１と、主体部１１の先端側（参照符号なし）から前方向に向き延伸する舌片１２と、該主体部１１の両端から前方向に向き延伸している係合部材１３と、主体部１１と舌片１２とを貫通している端子溝１４とを有している。該絶縁ハウジング１とプリント基板５との間には、前記主体部１１と舌片１２と係合部材１３とプリント基板５とが包囲して形成している収容空間（参照符号なし）を有し、前記ＦＰＣ６とスライド部材４が、該収容空間内に収容できる。
【００１０】
前記主体部１１は、舌片１２が配置される先端側と、該先端側に相対した第１側面１１１とを有し、前記係合部材１３の外側には、第１側面１１１を貫通している通孔１１２が形成され、前記第１側面１１１には、主体部１１内に凹み、該第１側面１１１に近接する両側面を貫通し、且つ前記端子溝１４と連通している凹溝１４１が形成される。
【００１１】
図２に示すように、前記舌片１２は、対接面１２０を有する扁平板状を呈する扁平体１２１と、該対接面１２０から延伸して前記主体部１１と連接している長方体１２２と、扁平体１２１の両側に一体に配置される案内体１２３とを含む。前記対接面１２０に該舌片１２の延伸する方向に沿って複数の平行な収容溝１２４が隔てて形成され、該収容溝１２４は前記端子溝１４の一部分である。前記扁平体１２１の末端の前記対接面１２０と同じ側には、第１斜面１２５が形成される。
【００１２】
前記係合部材１３は、頂部１３１と、内側面１３２とを有し、前記内側面１３２には、前記上表面１１０及び内側面１３２を貫通し、前記主体部１１に向かって延伸する延伸溝１３３が形成され、該係合部材１３の頂部１３１に、前記延伸溝１３３に近接している凸部１３４が形成される。
【００１３】
図２に示すように、前記導電端子２は、保持部２１と、該保持部２１の一端から延びる弾性アーム２２と、前記保持部２１の他端から延びる半田付け部２３と、前記保持部２１の他端から前記半田付け部２３に垂直な方向に向き延伸され、前記絶縁ハウジング１の凹溝１４１に係合できる当止部２４とを有する。前記保持部２１の前記弾性アーム２２と半田付け部２３との間の部分には、弾性アーム２２に垂直な階段部２５が形成され、前記弾性アーム２２の先端部には、コンタクト部２２１が突出して形成されている。
【００１４】
図５及び図６に示すように、前記導電端子２は、前記絶縁ハウジング１の端子溝１４内に装着され、前記当止部２４が絶縁ハウジング１の凹溝１４１に係合することにより、導電端子２を絶縁ハウジング１に挿入したときの奥行きが制限され、前記半田付け部２３が、絶縁ハウジング１の外側に延伸し、プリント基板５に半田付けできる。保持部２１の階段部２５が前記端子溝１４内に固持されることにより、該導電端子２が絶縁ハウジング１内に保持される。前記弾性アーム２２は前記舌片２の収容溝１２４内に収容され、且つ前記コンタクト部２２１が前記舌片２の対接面１２０に露出され、前記ＦＰＣ６を挿入する際に、該コンタクト部２２１が前記ＦＰＣ６に接続できる。
【００１５】
図２に示すように、前記支持部材３は、前記絶縁ハウジング１の両側にそれぞれ装着され、断面がＬ字形状を呈する支持部３１と、該支持部３１に垂直に延伸する延伸部３２とを有し、延伸部３２に前記主体部１１の通孔１１２内に挿入される凸刺３２１が形成され、前記凸刺３２１により、延伸部３２を一方向だけに向けて運動させる。前記支持部材３の支持部３１は、前記導電端子２の半田付け部２３と同一平面に位置し、プリント基板５に実装できる。
【００１６】
図１及び図２に示すように、スライド部材４は、対接板４１と、該対接板４１に連接する一対の係止柱４２と、該係止柱４２の末端から該係止柱４２に垂直な方向に沿ってそれぞれ延伸される一対の翼部４３とを含み、即ち、各翼部４３と係止柱４２とがＬ字形形状を呈する状態で前記対接板４１の両側に位置される。前記対接板４１と係止柱４２と翼部４３とは、同じ第２側面４５と同じ下表面即ち底表面４６とを有し、該第２側面４５が前記底表面４６に垂直になっている。また、前記係止柱４２と翼部４３とは、前記底表面４６に相対した頂面４０を有し、前記対接板４１の高さは前記係止柱４２より低いので、一対の係止柱４２の間に通溝４４が形成され、該通溝４４の内側底面はＦＰＣ６を押圧するのに用いられる押圧面（参照符号なし）である。前記対接板４１は、前記係止柱４２の長さより略短く、且つ末端に前記第１斜面１２５に相対している第２斜面４１１が形成される。
【００１７】
前記ＦＰＣ６の挿入をし易くするために、前記係止柱４２の前記第２側面に連接している箇所には面取りがそれぞれ形成され、前記係止柱４２は、中部から末端まで延伸して形成され、前記通溝４４と連通しているガイド溝４２１を有し、各係止柱４２の外側に摺動壁４２２がそれぞれ形成され、各摺動壁４２２から相互に仕切られた第１凸塊４２３と第２凸塊４２４とが突設される。
【００１８】
前記絶縁ハウジング１に配置され、凸部１３４を有する延伸溝１３３と、案内体１２３と、スライド部材４の第１凸塊４２３と、第２凸塊４２４とは、ブロック部材になる。該ブロック部材により、絶縁ハウジング１とスライド部材４との間の相対する運動が制限され、該ブロック部材は、前記第１凸塊４２３と第２凸塊４２４とにそれぞれ位置する際に、第１位置と第２位置とをそれぞれ規定する。
【００１９】
図３及び図５は、前記スライド部材４と絶縁ハウジング１の第１位置に固持された状態を示す図であり、前記係止柱４２は、前記舌片１２と係合部材１３との間の隙間で前記絶縁ハウジング１に相対してスライドすることにより、前記第１凸塊４２３を、係合部材１３の凸部１３４を超えさせてから、前記延伸溝１３３に係合させ、且つ前記凸部１３４は、第１凸塊４２３と第２凸塊４２４との間の隙間に係合される。この場合は第１位置であり、前記舌片１２の案内体１２３の端部は、前記ガイド溝４２１内に係止され、こうして前記絶縁ハウジング１とスライド部材４の対接板４１との間が相互に係合している。
【００２０】
前記対接板４１の第２斜面４１１の先端は、絶縁ハウジング１とプリント基板５との間の収容空間に挿入され、舌片１２の第１斜面１２５を備える末端部が前記スライド部材４の通溝４４内に収容され、これにより、前記第１斜面１２５と第２斜面４１１とが向き合い、両斜面１２５、４１１の間にガイド溝（参照記号なし）が形成され、ＦＰＣ６をゼロ挿入力で挿入するために用いられる。前記対接板４１の押圧面は前記ＦＰＣ６を向いて、前記底表面４６はプリント基板５に直に接触している。
【００２１】
図４及び図６に示すように、外力により前記ガイド部材４を押圧し続けて、前記第１凸塊４２３が前記延伸溝１３３内でスライドすることで、前記第２凸塊４２４が前記凸部１３４を超えて前記延伸溝１３３内に係合している。この場合は第２位置であり、前記案内体１２３は、ガイド溝４２１内でスライドし、最後に、該ガイド溝４２１内に完全に収容され、且つ舌片１２も完全にスライド部材４の通溝４４内に収容されている。前記スライド部材４の押圧面がＦＰＣ６を押圧し、且つＦＰＣ６の端部を前記導電端子２のコンタクト部２１に接続させる。
【００２２】
本考案に係るＦＰＣ用電気コネクタ１００は、前記ＦＰＣ６を収容する収容空間が、絶縁ハウジング１とプリント基板５とからなり、前記スライド部材４が、絶縁ハウジング１に対接してから、スライド部材４の押圧面がＦＰＣ６を押圧し、ＦＰＣ６を導電端子２のコンタクト部２２１に接続させ、その底表面４６は電気コネクタ１００の取付面（例えば、プリント基板５）に直に接触している。また、前記案内体１２３はガイド溝４２１に係合し、第１凸塊４２３と第２凸塊４２４とが前記延伸溝１３３にそれぞれ係合し、これらにより、前記絶縁ハウジング１とスライド部材４とは、相互に係合している。こうして、ＦＰＣ用電気コネクタ１００の高さが減少する、即ち、該ＦＰＣ用電気コネクタ１００の厚さが薄くなり、且つＦＰＣ用電気コネクタ１００の構造が簡単になり、電子産品の小型化の要求を満足する。
【００２３】
総じて、本考案の多数の特徴及び長所など、その構造及び機能が共に前述の記載により掲げられている。また前記の説明は、本考案に基づきなしうる細部の修正或は変更など、いずれも本考案の請求範囲に属するものとする。
【図面の簡単な説明】
【００２４】
【図１】本考案に係るＦＰＣ用電気コネクタの分解図斜視図である。
【図２】図１に示すＦＰＣ用電気コネクタのほかの角度から見る分解図斜視図である。
【図３】本考案に係るＦＰＣ用電気コネクタのスライド部材が第１位置に位置する組合せ図である。
【図４】本考案に係るＦＰＣ用電気コネクタのスライド部材が第２位置に位置する組合せ図である。
【図５】図３に示すＦＰＣ用電気コネクタのＡ−Ａ線で切断した断面図である。
【図６】図４に示すＦＰＣ用電気コネクタのＢ−Ｂ線で切断した断面図である。
【符号の説明】
【００２５】
１  絶縁ハウジング
２  導電端子
３  支持部材
４  スライド部材
５  プリント基板
６  ＦＰＣ
１１  主体部
１２  舌片
１３  係合部材
１４  端子溝
２１  保持部
２２  弾性アーム
２３  半田付け部
２４  当止部
２５  階段部
３１  支持部
３２  延伸部
４１  対接板
４２  係止柱
４３  翼部
４４  通溝
４５  第２側面
４６  底表面
１００  ＦＰＣ用電気コネクタ
１１０  上表面
１１１  第１側面
１１２  通孔
１２０  対接面
１２１  扁平体
１２２  長方体
１２３  案内体
１２４  収容溝
１２５  第１斜面
１３１  頂部
１３２  内側面
１３３  延伸溝
１３４  凸部
１４１  凹溝
２２１  コンタクト部
３２１  凸刺
４１１  第２斜面
４２１  ガイド溝
４２２  摺動壁
４２３  第１凸塊
４２４  第２凸塊
【図１】
0003113116.tif 000003
【図２】
0003113116.tif 000004
【図３】
0003113116.tif 000005
【図４】
0003113116.tif 000006
【図５】
0003113116.tif 000007
【図６】
0003113116.tif 000008